(57)【要約】【課題】被処理水の六価セレン負荷が急激に上昇した場合においても、六価セレンを生物学的に還元処理して、被処理水の六価セレン濃度を十分に低減する。【解決手段】六価セレン及び硝酸態窒素を還元処理する生物処理槽に有機物を供給すると共に被処理水を導入して、被処理水中の六価セレンを還元処理する生物学的セレン処理方法であって、生物処理槽内の被処理水の六価セレン負荷が急激に上昇する前及び上昇したときの少なくともいずれか一方のタイミングで被処理水の硝酸態窒素負荷を上昇させる工程を含むようにした。【選択図】図１
2017124353.tif 000002
【特許請求の範囲】
【請求項１】
六価セレン及び硝酸態窒素を還元処理する生物処理槽に有機物を供給すると共に被処理水を導入して、前記被処理水中の六価セレンを還元処理する生物学的セレン処理方法であって、
前記生物処理槽内の前記被処理水の六価セレン負荷が急激に上昇する前及び上昇したときの少なくともいずれか一方のタイミングで前記被処理水の硝酸態窒素負荷を上昇させる工程を含むことを特徴とする生物学的セレン処理方法。
【請求項２】
前記被処理水は石炭火力発電所の脱硫排水である、請求項１に記載の生物学的セレン処理方法。
【請求項３】
六価セレン及び硝酸態窒素を還元処理すると共に被処理水の導入部を備える生物処理槽と、前記生物処理槽に有機物を供給する有機物供給装置とを備え、前記生物処理槽に前記有機物供給装置から前記有機物が供給されると共に前記導入部から被処理水が導入されて、前記被処理水中の六価セレンが還元処理される生物学的セレン処理装置であって、
前記生物処理槽内の前記被処理水の六価セレン負荷が急激に上昇する前及び上昇したときの少なくともいずれか一方のタイミングで前記生物処理槽内の前記被処理水の硝酸態窒素負荷を上昇させる硝酸態窒素供給装置をさらに備えることを特徴とする生物学的セレン処理装置。
【請求項４】
前記被処理水は石炭火力発電所の脱硫排水である、請求項３に記載の生物学的セレン処理装置。
【発明の詳細な説明】
【技術分野】
【０００１】
本発明は、生物学的セレン処理方法及び生物学的セレン処理装置に関する。さらに詳述すると、本発明は、例えば石炭火力発電所の脱硫排水等に含まれる六価セレンを生物学的に還元処理する際に用いられる生物学的セレン処理方法及び生物学的セレン処理装置に関する。
【背景技術】
【０００２】
セレン（Ｓｅ）は、水質汚濁防止法における有害物質として平成５年に認定され、その排水基準は０．１ｍｇ／Ｌに定められている。この排水基準を満たすべく、各種排水について、セレン濃度を低減するための適切な対策が求められている。
【０００３】
セレンは、水中において主に六価セレン（セレン酸イオン：ＳｅＯ４２−）及び四価セレン（亜セレン酸イオン：ＳｅＯ３２−）の二つの化学形態で存在する。これらの二つの化学形態のうち、四価セレンについては、鉄と難溶性の塩を形成することから、共沈処理によって排水等から容易に除去することができる（非特許文献１）。また、不溶性の元素状セレン（Ｓｅ０）に化学的に還元することも比較的容易である（非特許文献２）。
【０００４】
これに対し、六価セレンについては、その化合物の殆どが水への溶解度が高く、金属類を排水から除去するための凝集沈殿法や吸着法等といった物理化学的な処理方法は有効とはいえない。そのため、四価セレンに還元した後に共沈処理を施すことや元素状セレンに還元することが必要となる。なお、六価セレンの還元に有効な還元剤については、例えば、塩化チタン、還元性鉄化合物及び光触媒等が報告されている（非特許文献３〜５）。
【０００５】
しかし、六価セレンの化学的な還元に際しては、使用する還元剤の種類を問わず、工場排水試験方法（ＪＩＳ  Ｋ  ０１０２）における「塩酸酸性の強酸性下で煮沸」のような強酸性条件に設定する必要がある。したがって、六価セレンの化学的な還元処理については、高価な金属系還元剤に加えて、ｐＨ調整用の多量の酸やアルカリの投入に要する薬剤費が実用上の障害となっている。
【０００６】
ここで、薬剤費を低減できる処理方法として、微生物を利用して六価セレンを還元処理する生物学的な還元処理方法が挙げられる。生物学的な還元処理方法においては、反応条件として中性付近のｐＨとすることが一般的には適していることから（非特許文献６）、ｐＨ調整用の酸やアルカリを多量に必要とすることがなく、薬剤費を大幅に削減することができる。
【先行技術文献】
【非特許文献】
【０００７】
【非特許文献１】公害防止の技術と法規編集委員会編、新・公害防止の技術と法規２００９水質編、社団法人産業環境管理協会、東京、２００９．
【非特許文献２】電力中央研究所報告Ｖ０７０１５
【非特許文献３】後藤建次郎、ＴｉＣｌ３による水中のＳｅ（ＶＩ）の還元・除去、資源と素材、Ｖｏｌ．１１６、７７３−７７７、２０００．
【非特許文献４】林浩志ら、グリーンラスト／フェライト循環処理法によるセレン汚染水処理の連続実証試験、資源と素材、Ｖｏｌ．１２２、４１５−４２２、２００６．
【非特許文献５】川辺能成ら、光触媒によるセレン酸除去反応に及ぼす硫酸イオンの影響、資源と素材、Ｖｏｌ．１１７、２８２−２８７、２００１．
【非特許文献６】Ｔａｋａｄａ  Ｔ．  ｅｔ  ａｌ．：  Ｋｉｎｅｔｉｃ  ｓｔｕｄｙ  ｏｎ  ｂｉｏｌｏｇｉｃａｌ  ｒｅｄｕｃｔｉｏｎ  ｏｆ  ｓｅｌｅｎｉｕｍ  ｃｏｍｐｏｕｎｄｓ，  Ｐｒｏｃｅｓｓ  Ｂｉｏｃｈｅｍ．，  Ｖｏｌ．４３，  １３０４−１３０７，  ２００８．
【発明の概要】
【発明が解決しようとする課題】
【０００８】
ところで、石炭火力発電所の脱硫排水においては、石炭火力発電所で使用される石炭の性状の変化（例えば、使用する炭種の切り替え等）によって、六価セレン負荷（六価セレン濃度）が急激に上昇することがある。しかしながら、六価セレンを生物学的に還元処理する場合、排水中の六価セレン負荷の急激な上昇に対応できず、排水中の六価セレン濃度を十分に低減できないことがある。
【０００９】
なお、六価セレン負荷の急激な上昇は、石炭火力発電所の脱硫排水のみならず、六価セレンを含有する排水等の被処理水全般において起こり得る問題である。
【００１０】
そこで、本発明は、被処理水の六価セレン負荷が急激に上昇した場合においても、被処理水の六価セレン濃度を十分に低減することができる生物学的セレン処理方法及び生物学的セレン処理装置を提供することを目的とする。
【課題を解決するための手段】
【００１１】
かかる目的を解決するため、本発明の生物学的セレン処理方法は、六価セレン及び硝酸態窒素を還元処理する生物処理槽に有機物を供給すると共に被処理水を導入して、被処理水中の六価セレンを還元処理する生物学的セレン処理方法であって、生物処理槽内の被処理水の六価セレン負荷が急激に上昇する前及び上昇したときの少なくともいずれか一方のタイミングで被処理水の硝酸態窒素負荷を上昇させる工程を含むようにしている。
【００１２】
また、本発明の生物学的セレン処理装置は、六価セレン及び硝酸態窒素を還元処理すると共に被処理水の導入部を備える生物処理槽と、生物処理槽に有機物を供給する有機物供給装置とを備え、生物処理槽に有機物供給装置から有機物が供給されると共に導入部から被処理水が導入されて、被処理水中の六価セレンが還元処理される生物学的セレン処理装置であって、生物処理槽内の被処理水の六価セレン負荷が急激に上昇する前及び上昇したときの少なくともいずれか一方のタイミングで生物処理槽内の被処理水の硝酸態窒素負荷を上昇させる硝酸態窒素供給装置をさらに備えるものとしている。
【００１３】
ここで、本発明の生物学的セレン処理方法及び生物学的セレン処理装置において、被処理水は、例えば石炭火力発電所の脱硫排水である。
【発明の効果】
【００１４】
本発明の生物学的セレン処理方法及び生物学的セレン処理装置によれば、被処理水の六価セレン負荷が急激に上昇した場合においても、六価セレンを生物学的に還元処理して、被処理水の六価セレン濃度を十分に低減することが可能となる。したがって、被処理水の六価セレン負荷の変動に応じた生物学的な還元処理を、長期に亘り安定して実施することが可能となる。
【図面の簡単な説明】
【００１５】
【図１】本発明の生物学的セレン処理装置の実施形態の一例を示す構成概略図である。
【発明を実施するための形態】
【００１６】
以下、本発明を実施するための形態について、図面に基づいて詳細に説明する。
【００１７】
本発明の生物学的セレン処理方法は、六価セレン及び硝酸態窒素を還元処理する生物処理槽に有機物を供給すると共に被処理水を導入して、被処理水中の六価セレンを還元処理する生物学的セレン処理方法であって、生物処理槽内の被処理水の六価セレン負荷が急激に上昇する前及び上昇したときの少なくともいずれか一方のタイミングで被処理水の硝酸態窒素負荷を上昇させる工程を含むようにしている。
【００１８】
本発明の生物学的セレン処理方法は、例えば本発明の生物学的セレン処理装置を用いて実施される。図１に、本発明の生物学的セレン処理装置の実施形態の一例を示す。
【００１９】
図１に示す生物学的セレン処理装置１は、六価セレン及び硝酸態窒素を還元処理すると共に被処理水３の導入部４ａを備える生物処理槽４と、生物処理槽４に有機物を供給する有機物供給装置５とを備え、生物処理槽４に有機物供給装置５から有機物が供給されると共に導入部４ａから被処理水３が導入されて、被処理水３中の六価セレンが還元処理される生物学的セレン処理装置であって、生物処理槽４内の被処理水３の六価セレン負荷が急激に上昇する前及び上昇したときの少なくともいずれか一方のタイミングで生物処理槽４内の被処理水３の硝酸態窒素負荷を上昇させる硝酸態窒素供給装置６をさらに備えるものとしている。
【００２０】
本実施形態において、生物処理槽４には、被処理水３の導入部４ａ及び排出部４ｂが備えられ、生物汚泥２が収容されている。生物汚泥２は、六価セレン及び硝酸態窒素を還元する能力を有するものであれば特に制限なく使用することができる。このような生物汚泥は、例えば、硝酸態窒素含有水の脱窒処理に用いられている脱窒汚泥を種汚泥とし、これを六価セレンと硝酸態窒素と有機物の存在下で嫌気環境にて馴養することにより取得することができる。馴養に用いる有機物は、生物汚泥の電子供与体として機能するものであれば特に限定されるものではないが、例えば炭素数１〜３の低級アルコール、好適にはメタノール又はエタノールが挙げられる。但し、本実施形態において用いることのできる生物汚泥２はこのような方法で取得されるものには限定されない。例えば、脱窒汚泥以外の汚泥、例えば活性汚泥等を種汚泥として用いるようにしてもよい。また、六価セレン及び硝酸態窒素の含有水の還元処理に用いられている生物汚泥は、既に六価セレン及び硝酸態窒素を還元する能力を有していることから、これをそのままあるいは適宜馴養した後に用いても勿論構わない。
【００２１】
生物汚泥２は、例えば担体２’に担持させて生物処理槽４内に収容される。担体２’としては、多孔質セラミック、活性炭、及び繊維状物質等の比表面積の高い材料により構成される粒状物、シート、及び充填材等といった生物処理において一般的に採用されている担体を適宜採用することができる。ここで、担体２’として、特にロックウール（繊維化高炉スラグ）を用いることが好適である。ロックウールは、微細な繊維が集まった粒状綿であり、ケイ酸カルシウムを主成分とする素材で、中性付近では溶解や溶出が殆ど見られない。また、高炉から排出されたスラグであることから、安価であるという利点も有している。即ち、担体２’にかかるコストを抑えて、生物学的セレン処理にかかる総コストを低減することができる。
【００２２】
本実施形態では、生物処理槽４としての密閉構造のカラム容器内に、担体２’を充填し、これに生物汚泥２を付着させ、被処理水３を上向流で流通させて生物汚泥２と被処理水３を接触させるようにしている。但し、生物汚泥２と被処理水３の接触方式は、このような方式には限定されず、生物学的な排水処理において一般的に用いられる方式を適宜採用することができる。例えば、被処理水３の流れは、上向流ではなく下向流等としてもよい。また、固定床方式ではなく流動床方式を採用してもよい。また、生物汚泥２を担体２’に担持させることなく被処理水３と接触させる浮遊法を採用してもよい。なお、生物汚泥２は通常フロック状であることから、浮遊法を採用する場合には、フロック状の生物汚泥２をそのまま用いることができる。あるいは、フロック状の生物汚泥２を適宜凝集させて用いるようにしてもよい。上記のように、生物汚泥２を担体２’に担持させて被処理水３と接触させる非浮遊法（生物膜法）を採用する場合にも、フロック状の生物汚泥２をそのまま担体２’に付着させてもよいし、フロック状の生物汚泥２を適宜凝集させてから担体２’に付着させるようにしてもよい。
【００２３】
被処理水３は、例えば、石炭火力発電所の脱硫排水である。但し、被処理水３はこれに限定されるものではなく、六価セレン負荷の急激な上昇が起こり得る排水等の被処理水全般を対象とすることができる。例えば、原料や製品としてセレンを扱う工場等から排出される排水や排煙にセレンを含む工場等にて発生する洗煙排水等も原料や製品のセレン含有量によって六価セレン負荷の急激な上昇が起こり得ることから、このような排水等も被処理水３とすることもできる。
【００２４】
被処理水３は、例えば、生物処理槽４の前段に設置された送液ポンプ１０等により導入部４ａから生物処理槽４内に導入される。そして、被処理水３は、生物処理槽４内を上向流で通過する過程で生物汚泥２により生物学的セレン処理がなされ、生物処理槽４としてのカラム容器の上部に設けられた排出部４ｂから排出される。
【００２５】
ここで、本実施形態において、被処理水３は、有機物供給装置５を介して生物処理槽４内に導入される。有機物供給装置５は、容器５ａと、容器５ａに収容された有機物封入袋５ｂとにより構成されており、容器５ａ内に収容された有機物封入袋５ｂから自律的に徐放される有機物を被処理水３に混入させることで、被処理水３が生物処理槽４内に導入される際に、有機物も同時に供給されるようにしている。これにより、生物汚泥２に電子供与体としての有機物が供給され、生物汚泥２の六価セレン及び硝酸態窒素の還元処理能力が発揮される。
【００２６】
有機物封入袋５ｂを利用した有機物の供給技術についての詳細は、例えば国際公開２００６／１３５０２８に開示されている。具体的には、ポリエチレン、ポリプロピレン又はＥＶＡ（エチレン・ビニルアルコール共重合体）等の非多孔性膜を少なくとも一部に備える密封構造の容器（袋）内に有機物（例えば、炭素数１〜３の低級アルコール、好適にはメタノール又はエタノール等）を密封することで、ポンプや有機物の供給量を制御する手段を備えることなく、生物汚泥２が必要とする有機物を常時緩やかに供給することができる。
【００２７】
但し、有機物供給装置５は、本実施形態のようなものには限定されず、例えば、有機物封入袋５ｂを生物処理槽４内に収容して生物処理槽４内に直接有機物を供給するようにしてもよい。また、ポンプや供給量を制御する手段を利用して、被処理水３とともに、あるいは被処理水３とは別に、生物処理槽４内に有機物を直接供給するようにしてもよい。
【００２８】
上記の構成により、六価セレン及び硝酸態窒素を還元する生物汚泥２に有機物を供給しながら、生物汚泥２と被処理水３とを嫌気条件下で接触させて被処理水中の六価セレンを還元処理することができる。なお、ここでいう嫌気条件下とは、酸素が実質的に遮断された状態を意味している。即ち、酸素が完全に遮断された状態のみならず、六価セレンの還元処理を阻害しないレベルで酸素が混入している状態も包含される。
【００２９】
そして、本発明では、生物処理槽４内の被処理水３の六価セレン負荷の急激な上昇に対応するために、生物処理槽４内の被処理水３の六価セレン負荷が急激に上昇する前及び上昇したときの少なくともいずれか一方のタイミングで生物処理槽４内の被処理水３の硝酸態窒素負荷を上昇させる硝酸態窒素供給装置６を備えるようにしている。
【００３０】
なお、ここでいう「六価セレン負荷の急激な上昇」とは、生物処理槽４（生物汚泥２）の六価セレン還元処理能力が追いつかず、後に四価セレンの除去処理を行った場合においても被処理水３の総セレン濃度が排水処理基準値を上回ってしまうほどに六価セレンが残留してしまう恐れのあるレベルでの六価セレン負荷の上昇を意味している。具体的には、例えば、被処理水３の六価セレン濃度が通常の六価セレン濃度の５倍以上又は１０倍以上となることを意味している。
【００３１】
本実施形態において、硝酸態窒素供給装置６は、硝酸態窒素（硝酸塩）を貯留するタンク６ａと、開閉動作によってタンク６ａから被処理水３への硝酸態窒素の供給を制御するバルブ６ｂとを備えている。バルブ６ｂには、例えば制御装置６ｃからの命令信号に応答して駆動するソレノイドが組み込まれており、ソレノイドの駆動に伴ってバルブ６ｂが開閉動作するように構成されている。
【００３２】
生物処理槽４内の被処理水３の六価セレン負荷の急激な上昇は、例えば被処理水３が石炭火力発電所の脱硫排水である場合には、石炭火力発電所において使用される石炭の性状に基づいて予測することができる。また、被処理水３が原料や製品としてセレンを扱う工場等から排出される排水や排煙にセレンを含む工場等にて発生する洗煙排水等である場合にも原料や製品のセレン含有量に基づいて予測することができる。このように、生物処理槽４内の被処理水３の六価セレン負荷の急激な上昇を予測することができる場合には、生物処理槽４内の被処理水３の六価セレン負荷が急激に上昇すると予測される時期よりも前に、生物処理槽４内の被処理水３の硝酸態窒素負荷を予め上昇させておくことで、生物処理槽４（生物汚泥２）の六価セレン還元処理能力を予め高めておくことができる。具体的には、予測結果が制御装置６ｃに送られ、生物処理槽４内の被処理水３の六価セレン負荷が急激に上昇する前に、制御装置６ｃからの命令信号に応答してソレノイドが駆動し、バルブ６ｂが開いて、硝酸態窒素（硝酸塩）が被処理水３に供給される。これにより、生物処理槽４内の被処理水３の硝酸態窒素負荷を予め上昇させて、生物処理槽４（生物汚泥２）の六価セレン還元処理能力を予め高めておくことができ、生物処理槽４内の被処理水３の六価セレン負荷が急激に上昇した場合においても、被処理水３の六価セレン濃度を十分に低減することが可能となる。
【００３３】
また、生物処理槽４内の被処理水３の六価セレン負荷の急激な上昇は、生物処理槽４内に導入される被処理水３の六価セレン濃度を測定することでも把握することができる。このように、生物処理槽４内の被処理水３の六価セレン負荷の急激な上昇を測定して把握することができる場合には、生物処理槽４内の被処理水３の六価セレン負荷が急激に上昇したときに、生物処理槽４内の被処理水３の硝酸態窒素負荷を上昇させることで、生物処理槽４（生物汚泥２）の六価セレン還元処理能力を即時的に高めることができる。具体的には、硝酸態窒素供給装置６として、六価セレン測定装置６ｄをさらに備え、六価セレン測定装置６ｄの測定データが制御装置６ｃに送られて、被処理水３の六価セレン濃度が所定値を超えたか否かが判断されると共に、バルブ６ｂのソレノイドに命令信号が送られることで、バルブの開閉動作が制御されるようにしている。これにより、生物処理槽４内の被処理水３の六価セレン負荷が急激に上昇したと判断されたときに、制御装置６ｃからの命令信号に応答してソレノイドが駆動し、バルブ６ｂが開いて、硝酸態窒素（硝酸塩）が被処理水３に供給され、生物処理槽４（生物汚泥２）の六価セレン還元処理能力が即時的に高められて、被処理水３の六価セレン濃度が十分に低減される。六価セレン測定装置６ｄとしては、例えば誘導結合プラズマ発光分光分析装置（ＩＣＰ−ＯＥＳ）等の六価セレンの測定が可能な装置を適宜用いることができる。
【００３４】
なお、本発明によれば、生物処理槽４内の被処理水３の六価セレン負荷が急激に上昇する前及び上昇したときのいずれのタイミングで生物処理槽４内の被処理水３の硝酸態窒素負荷を上昇させても、生物処理槽４（生物汚泥２）の六価セレン還元処理能力を高めることができる。したがって、生物処理槽４内の被処理水３の六価セレン負荷が急激に上昇するタイミングを予測し、生物処理槽４内の被処理水３の六価セレン負荷が急激に上昇したときに、生物処理槽４内の被処理水３の硝酸態窒素負荷を上昇させるようにしてもよい。あるいは、生物処理槽４内の被処理水３の六価セレン負荷が急激に上昇するタイミングを予測し、生物処理槽４内の被処理水３の六価セレン負荷が急激に上昇する前及び上昇したときの双方のタイミングで生物処理槽４内の被処理水３の硝酸態窒素負荷を上昇させることで、生物処理槽４（生物汚泥２）の六価セレン還元処理能力を予め及び即時的に高めて、被処理水３の六価セレン負荷の急激な上昇にさらに良好に対応し得る。また、生物処理槽４内に導入される被処理水３の六価セレン濃度の測定結果から、生物処理槽４内の被処理水３の六価セレン負荷が急激に上昇する兆候が見られたタイミングで（即ち、生物処理槽４内の被処理水３の六価セレン負荷が急激に上昇する前に）生物処理槽４内の被処理水３の硝酸態窒素負荷を上昇させるようにしてもよい。あるいは、生物処理槽４内に導入される被処理水３の六価セレン濃度の測定結果から、生物処理槽４内の被処理水３の六価セレン負荷が急激に上昇する兆候が見られたときと生物処理槽４内の被処理水３の六価セレン負荷が急激に上昇したときの双方のタイミングで生物処理槽４内の被処理水３の硝酸態窒素負荷を上昇させることで、生物処理槽４（生物汚泥２）の六価セレン還元処理能力を予め及び即時的に高めて、被処理水３の六価セレン負荷の急激に上昇にさらに良好に対応し得る。
【００３５】
このように、本発明では、被処理水３の六価セレン負荷が急激に上昇する前及び上昇したときの少なくともいずれか一方のタイミングで被処理水３の硝酸態窒素負荷を上昇させるという簡易な手法で、生物処理槽４（生物汚泥２）の六価セレン還元処理能力を向上させることができる。このような簡易な手法によって、生物汚泥の六価セレン還元処理能力が向上することを示した事例は今までに報告されておらず、本発明は極めて画期的な発明であるといえる。
【００３６】
なお、生物処理槽４内の被処理水３の六価セレン負荷が急激に上昇する前とは、具体的には、例えば１０日前、７日前又は４日前であるが、生物処理槽４内の被処理水３の六価セレン負荷が急激に上昇したときに生物処理槽４内の被処理水３の硝酸態窒素負荷を上昇させても本発明の効果は奏されることから、生物処理槽４内の被処理水３の硝酸態窒素負荷は、六価セレン負荷が急激に上昇する直前に上昇させるようにしてもよい。
【００３７】
ここで、硝酸態窒素供給装置６による被処理水３への硝酸態窒素の供給量については、少なくとも生物処理槽４（生物汚泥２）の六価セレンの還元処理能力が通常よりも向上する範囲で、より好ましくは、後に四価セレンの除去処理を行うことで被処理水３の総セレン濃度が排水処理基準値以下となるレベルで六価セレンが還元処理される範囲で供給される。なお、被処理水３への硝酸態窒素の供給量の好ましい範囲については、生物処理槽４の容積や各種処理条件により変動し得ることから一概には規定できないが、硝酸態窒素の供給量を多くする程、生物処理槽４（生物汚泥２）の六価セレンの還元処理能力が向上しやすくなるものと考えられる。但し、硝酸態窒素の供給量が多すぎると供給した硝酸態窒素を生物処理槽４（生物汚泥２）により十分に低減できなくなることがあるので、生物処理槽４（生物汚泥２）により十分に低減できる範囲、あるいは後段で別途生物学的脱窒処理を行うことで十分に低減できる常識的な範囲で硝酸態窒素を供給することが好ましい。
【００３８】
なお、本実施形態では、硝酸態窒素供給装置６による硝酸態窒素の供給は、生物処理槽４に導入される前の被処理水３に対して直接行うようにしているが、生物処理槽４内の被処理水３に硝酸態窒素を直接供給するようにしてもよい。また、六価セレン濃度の測定についても、生物処理槽４に導入される前の被処理水３ではなく、生物処理槽４内に導入された被処理水３（特に六価セレンの還元処理が行われる前の導入部４ａ近傍の被処理水３）に対して行うようにしてもよい。
【００３９】
本発明の生物学的セレン処理方法及び生物学的セレン処理装置により、六価セレンが還元処理されて生じた四価セレン、さらには元々含まれている四価セレンを含有する被処理水（処理済水）は、例えば、公知の共沈処理方法（例えば、鉄塩を添加して亜セレン酸を凝集沈殿させて固液分離する方法）等や化学的還元法により処理される。これにより被処理水（処理済水）から四価セレンが除去・回収される。また、担体の表面に亜セレン酸吸着剤を付着させることで、担体自体に四価セレンの吸着能を持たせて四価セレンを除去・回収することもできる。亜セレン酸吸着剤としては、例えば、活性水酸化鉄系（ジャロサイト等）の吸着剤等が挙げられる。また、担体の表面に亜セレン酸吸着剤を付着させたものとしては、例えば、活性水酸化鉄系吸着剤がロックウールの表面に付着しているロックエースＳＦ（日鉄環境エンジニアリング製）等が挙げられる。あるいは、亜セレン酸吸着剤を担体に付着させることなく独立して生物処理槽４内に収容することでも、四価セレンを除去・回収することができる。
【００４０】
上述の形態は本発明の好適な形態の一例ではあるがこれに限定されるものではなく本発明の要旨を逸脱しない範囲において種々変形実施可能である。
【００４１】
例えば、上述の実施形態では、生物学的セレン還元処理により六価セレンが還元されて生じた四価セレンを化学的に処理するようにしているが、四価セレンを生物学的に還元処理するようにしてもよい。
【００４２】
例えば、六価セレン及び硝酸態窒素を還元する能力を有する生物汚泥２と、四価セレンを還元する能力を有する汚泥又は微生物若しくは微生物群とを併用することによって、六価セレンだけでなく、四価セレンも生物学的に還元処理することが可能である。また、六価セレン及び硝酸態窒素に加えてさらに四価セレンを還元する能力を有する生物汚泥を用いることによって、六価セレンだけでなく、四価セレンも生物学的に還元処理することが可能である。このような生物汚泥は、例えば、脱窒汚泥を種汚泥とし、六価セレンと硝酸態窒素と有機物と四価セレンの存在下で嫌気環境にて馴養を行うことにより取得し得る。但し、生物汚泥の取得方法は、このような方法には限定されず、例えば種汚泥を活性汚泥として同様に馴養を行うことによっても取得し得る。また、六価セレンと四価セレンと硝酸態窒素の含有水の処理に用いられている生物汚泥は、既に六価セレンと四価セレンと硝酸態窒素を還元する能力を有していることから、これをそのままあるいは適宜馴養した後に用いても勿論構わない。
【００４３】
また、生物汚泥２に代えて又は生物汚泥２と共に、生物汚泥２と同様の能力を有する微生物又は微生物群を用いるようにしてもよい。この場合にも、生物汚泥２を用いる場合と同様、浮遊法又は非浮遊法を採用して六価セレンの還元処理を行うことができる。なお、微生物又は微生物群は、必要に応じて適宜凝集させて用いるようにしてもよい。
【実施例】
【００４４】
以下に本発明の実施例を説明するが、本発明はこれら実施例に限られるものではない。
【００４５】
［実施例１］
人工排水を用い、六価セレン負荷の急激な上昇に対して硝酸態窒素負荷を上昇させることの有効性、及び硝酸態窒素負荷の上昇のタイミングについて検討した。
【００４６】
１．生物汚泥の取得
硝酸態窒素含有排水処理に利用されていた脱窒汚泥を、六価セレンと硝酸態窒素と有機物の存在下で嫌気環境にて馴養し、六価セレン及び硝酸態窒素の還元能力を有する生物汚泥を取得した。
【００４７】
馴養の際に使用した人工排水の組成は、以下の通りとした。なお、以下の人工排水の組成のうち、硝酸態窒素はＮａＮＯ３の化学形態で添加されている。また、六価セレンはＮａ２ＳｅＯ４の化学形態で添加されている。
・ＮａＣｌ：  ７００ｍｇ／Ｌ
・Ｎａ２ＳＯ４：  ８００ｍｇ／Ｌ
・ＭｇＳＯ４・７Ｈ２Ｏ：  ３５００ｍｇ／Ｌ
・ＣａＣｌ２：  ２０００ｍｇ／Ｌ
・ＫＣｌ：  ６０ｍｇ／Ｌ
・Ｎａ２ＨＰＯ４：  ０．９ｍｇ／Ｌ
・ＫＨ２ＰＯ４：  ０．１５ｍｇ／Ｌ
・ＮａＮＯ３：  １０ｍｇ−Ｎ／Ｌ（Ｎ換算）
・Ｎａ２ＳｅＯ４：  １．０ｍｇ−Ｓｅ／Ｌ（Ｓｅ換算）
・ｐＨ：  ７．０
【００４８】
上記組成の模擬排水に、硝酸態窒素含有排水処理に利用されていた脱窒汚泥を初期摂取汚泥濃度２０００ｍｇ／Ｌで摂取し、嫌気条件下、温度３０℃で１ヶ月間馴養した。また、馴養中は、有機物としてメタノールを６０ｍｇ−ＣＯＤ／日で供給した。
【００４９】
なお、取得した生物汚泥は、温度３０℃の場合、少なくともｐＨ６〜９の範囲内で六価セレンと硝酸態窒素の還元活性を有していることが確認された。最適ｐＨは７であった。
【００５０】
また、取得した生物汚泥は、ｐＨ７．０の場合、少なくとも温度２０℃〜４５℃の範囲内で六価セレンと硝酸態窒素の還元活性を有していることが確認された。最適温度は４０℃であった。
【００５１】
２．実験装置
本実施例においては、図１に示す生物学的セレン処理装置１から硝酸態窒素供給装置６を除くと共に、送液ポンプ１０の前段に貯留タンクを設けた装置を利用し、貯留タンク内に貯留する人工排水の硝酸態窒素濃度と六価セレン濃度を調整して実験を行った。
【００５２】
生物処理槽４は、有効容積１５０ｍＬ（内径４ｃｍ、高さ１２ｃｍ）の円筒形カラムとした。
【００５３】
担体２’として、ロックウールの表面に亜セレン酸（四価セレン）吸着剤として活性水酸化鉄系吸着剤を付着させたロックエースＳＦ（日鉄住金環境株式会社製）を用いた。ロックウールは、微細な繊維が集まった粒状綿であり、ケイ酸カルシウムを主成分とする素材で、中性付近では溶解や溶出がほとんど見られない。また、ロックウール単独では六価セレンや四価セレンの吸着能力がない。また、ロックエースＳＦは六価セレンの吸着能力はない。なお、ロックエースＳＦは、１週間ほど通水し、十分に付着していなかった吸着剤成分を洗い流してから使用した。
【００５４】
生物処理槽４としての円筒形カラムに、ロックエースＳＦ６５ｍＬ相当を充填し、体積充填率を約４３％とした。そして、生物汚泥２を懸濁させた上記人工排水を円筒形カラム内に通水して、生物汚泥２を担体２’としてのロックエースＳＦに付着させた。
【００５５】
有機物封入袋５ｂは、０．０５ｍｍ厚のポリエチレンシート（３ｃｍ×１０ｃｍ）２枚の周縁部を溶着させて形成した。内部にはメタノールを封入した。
【００５６】
３．分析方法
六価セレンについては、水素化物発生誘導結合プラズマ発光分光分析（ＩＣＰ−ＯＥＳ）により測定した。
【００５７】
硝酸については、イオンクロマトグラフ分析器で測定した。
【００５８】
試料の濾過には、孔径０．３μｍのガラス繊維濾過ＧＦ−７５（アドバンテック東洋株式会社）を用いた。
【００５９】
４．実験方法
人工排水のＮａＮＯ３濃度（Ｎ換算濃度）及びＮａ２ＳｅＯ４濃度（Ｓｅ換算濃度）以外の基本組成は、馴養に用いた人工排水の組成と同様とし、ＮａＮＯ３濃度（Ｎ換算濃度）及びＮａ２ＳｅＯ４濃度（Ｓｅ換算濃度）を変化させることで、人工排水中の硝酸態窒素負荷及び六価セレン負荷を変化させて、各種実験を行った。
【００６０】
なお、水理学的滞留時間は３．５時間とし、嫌気条件下、温度３０℃で各種実験を行った。
【００６１】
５．実験結果
（１）実験１
排水中の六価セレン負荷が急激に上昇することが予測された場合を想定し、六価セレン負荷の上昇前に硝酸態窒素負荷を上昇させたときの効果について、以下の条件にて検討を行った。
（ａ）条件１−１  →  条件２−１  →  条件３−１  →  六価セレンの出口濃度分析
（ｂ）条件１−１  →  条件２−２  →  条件３−１  →  六価セレンの出口濃度分析
（ｃ）条件１−１  →  条件２−３  →  条件３−１  →  六価セレンの出口濃度分析
【００６２】
各々の条件の詳細は以下の通りとした。
・条件１−１：六価セレン０．１ｍｇ−Ｓｅ／Ｌ、硝酸態窒素１０ｍｇ−Ｎ／Ｌ、７日間
・条件２−１：六価セレン０．１ｍｇ−Ｓｅ／Ｌ、硝酸態窒素１０ｍｇ−Ｎ／Ｌ、７日間
・条件２−２：六価セレン０．１ｍｇ−Ｓｅ／Ｌ、硝酸態窒素３０ｍｇ−Ｎ／Ｌ、７日間
・条件２−３：六価セレン０．１ｍｇ−Ｓｅ／Ｌ、硝酸態窒素５０ｍｇ−Ｎ／Ｌ、７日間
・条件３−１：六価セレン１．０ｍｇ−Ｓｅ／Ｌ、硝酸態窒素１０ｍｇ−Ｎ／Ｌ、７日間
【００６３】
上記条件（ａ）〜（ｃ）のうち、（ａ）は、排水中の六価セレン負荷の急激な上昇に対して何ら対策を行わないケースを模擬した実験となる。また、（ｂ）及び（ｃ）は、排水中の六価セレン負荷が急激に上昇する７日前から硝酸態窒素負荷を上昇させたケースを模擬した実験となる。硝酸態窒素負荷の上昇量については、（ｂ）よりも（ｃ）の方が大きい。
【００６４】
六価セレン負荷については、１０倍の上昇を想定した。
【００６５】
実験１の結果を表１に示す。
【００６６】
【表１】
2017124353.tif 000003
【００６７】
表１に示される結果から、（ａ）の六価セレン濃度と比較して、（ｂ）及び（ｃ）の六価セレン濃度が大幅に低下することが明らかとなった。この結果から、排水中の六価セレン負荷が急激に上昇する７日前から硝酸態窒素負荷を上昇させることで、生物汚泥２の六価セレン還元処理能力を予め高めておくことができ、六価セレン負荷が急激に上昇したときにも、六価セレン濃度を十分に低減することが可能であることが明らかとなった。そして、その効果は、六価セレン負荷が１０倍上昇した場合にも奏されることが明らかとなった。
【００６８】
また、表１の（ｂ）及び（ｃ）に示される結果から、六価セレン濃度の低減効果は、硝酸態窒素負荷を上昇させるほど大きくなることも明らかとなった。
【００６９】
（２）実験２
排水中の六価セレン濃度が急激に高くなった場合を想定し、以下の条件にて検討を行った。
（ｄ）条件１−１  →  条件４−１  →  六価セレンの出口濃度分析
（ｅ）条件１−１  →  条件４−２  →  六価セレンの出口濃度分析
（ｆ）条件１−１  →  条件４−３  →  六価セレンの出口濃度分析
【００７０】
各々の条件の詳細は以下の通りとした。
・条件１−１：六価セレン０．１ｍｇ−Ｓｅ／Ｌ、硝酸態窒素１０ｍｇ−Ｎ／Ｌ、７日間
・条件４−１：六価セレン０．５ｍｇ−Ｓｅ／Ｌ、硝酸態窒素１０ｍｇ−Ｎ／Ｌ、７日間
・条件４−２：六価セレン０．５ｍｇ−Ｓｅ／Ｌ、硝酸態窒素３０ｍｇ−Ｎ／Ｌ、７日間
・条件４−３：六価セレン０．５ｍｇ−Ｓｅ／Ｌ、硝酸態窒素５０ｍｇ−Ｎ／Ｌ、７日間
【００７１】
上記条件（ｄ）〜（ｆ）のうち、（ｄ）は、排水中の六価セレン負荷の急激な上昇に対して何ら対策を行わないケースを模擬した実験となる。また、（ｅ）及び（ｆ）は、排水中の六価セレン負荷が急激に上昇したときに硝酸態窒素負荷を上昇させたケースを模擬した実験となる。硝酸態窒素負荷の上昇量については、（ｅ）よりも（ｆ）の方が大きい。
【００７２】
六価セレン負荷については、５倍の上昇を想定した。
【００７３】
実験２の結果を表２に示す。
【００７４】
【表２】
2017124353.tif 000004
【００７５】
表２に示される結果から、（ｄ）の六価セレン濃度と比較して、（ｅ）及び（ｆ）の六価セレン濃度が大幅に低下することが明らかとなった。この結果から、排水中の六価セレン負荷が急激に上昇したときに硝酸態窒素負荷を上昇させることでも、生物汚泥２の六価セレン還元処理能力を即時的に高めて、六価セレン濃度を十分に低減することが可能であることが明らかとなった。そして、その効果は、六価セレン負荷が５倍上昇した場合にも奏されることが明らかとなった。
【００７６】
また、表２の（ｅ）及び（ｆ）に示される結果から、六価セレン濃度の低減効果は、硝酸態窒素負荷を上昇させるほど大きくなることも明らかとなった。
【００７７】
（３）実験３
実験２よりも条件４の日数を長くすると共に、六価セレン負荷を高めて、以下の条件にて検討を行った。
（ｇ）条件１−１  →  条件４−４  →  六価セレンの出口濃度分析
（ｈ）条件１−１  →  条件４−５  →  六価セレンの出口濃度分析
（ｉ）条件１−１  →  条件４−６  →  六価セレンの出口濃度分析
【００７８】
各々の条件の詳細は以下の通りとした。
・条件１−１：六価セレン０．１ｍｇ−Ｓｅ／Ｌ、硝酸態窒素１０ｍｇ−Ｎ／Ｌ、７日間
・条件４−４：六価セレン１．０ｍｇ−Ｓｅ／Ｌ、硝酸態窒素１０ｍｇ−Ｎ／Ｌ、１０日間
・条件４−５：六価セレン１．０ｍｇ−Ｓｅ／Ｌ、硝酸態窒素３０ｍｇ−Ｎ／Ｌ、１０日間
・条件４−６：六価セレン１．０ｍｇ−Ｓｅ／Ｌ、硝酸態窒素５０ｍｇ−Ｎ／Ｌ、１０日間
【００７９】
上記条件（ｇ）〜（ｉ）のうち、（ｇ）は、排水中の六価セレン負荷の急激な上昇に対して何ら対策を行わないケースを模擬した実験となる。また、（ｈ）及び（ｉ）は、排水中の六価セレン負荷が急激に上昇したときに硝酸態窒素負荷を上昇させたケースを模擬した実験となる。硝酸態窒素負荷の上昇量については、（ｈ）よりも（ｉ）の方が大きい。
【００８０】
六価セレン負荷については、１０倍の上昇を想定した。
【００８１】
実験３の結果を表３に示す。
【００８２】
【表３】
2017124353.tif 000005
【００８３】
表３に示される結果から、（ｇ）の六価セレン濃度と比較して、（ｈ）及び（ｉ）の六価セレン濃度が大幅に低下することが明らかとなった。この結果からも、排水中の六価セレン負荷が急激に上昇したときに硝酸態窒素負荷を上昇させることで、生物汚泥２の六価セレン還元処理能力を即時的に高めて、六価セレン濃度を十分に低減することが可能であることが明らかとなった。そして、その効果は、六価セレン負荷が１０倍上昇した場合にも奏されることが明らかとなった。
【００８４】
また、表３の（ｈ）及び（ｉ）に示される結果から、六価セレン濃度の低減効果は、硝酸態窒素負荷を上昇させるほど大きくなることも明らかとなった。
【００８５】
（４）実験４
実験１よりも条件２の日数を短くすると共に、実験１よりも条件３の硝酸態窒素濃度を高めて、以下の条件にて検討を行った。
（ｊ）条件１−１  →  条件２−４  →  条件３−２  →  六価セレンの出口濃度分析
（ｋ）条件１−１  →  条件２−５  →  条件３−２  →  六価セレンの出口濃度分析
（ｌ）条件１−１  →  条件２−６  →  条件３−２  →  六価セレンの出口濃度分析
【００８６】
各々の条件の詳細は以下の通りとした。
・条件１−１：六価セレン０．１ｍｇ−Ｓｅ／Ｌ、硝酸態窒素１０ｍｇ−Ｎ／Ｌ、７日間
・条件２−４：六価セレン０．１ｍｇ−Ｓｅ／Ｌ、硝酸態窒素１０ｍｇ−Ｎ／Ｌ、４日間
・条件２−５：六価セレン０．１ｍｇ−Ｓｅ／Ｌ、硝酸態窒素３０ｍｇ−Ｎ／Ｌ、４日間
・条件２−６：六価セレン０．１ｍｇ−Ｓｅ／Ｌ、硝酸態窒素５０ｍｇ−Ｎ／Ｌ、４日間
・条件３−２：六価セレン１．０ｍｇ−Ｓｅ／Ｌ、硝酸態窒素３０ｍｇ−Ｎ／Ｌ、７日間
【００８７】
上記条件（ｊ）〜（ｌ）のうち、（ｊ）は、排水中の六価セレン負荷が急激に上昇したときに硝酸態窒素負荷を上昇させたケースを模擬した実験となる。また、（ｋ）及び（ｌ）は、排水中の六価セレン負荷が急激に上昇する前及び上昇したときの双方のタイミングで硝酸態窒素負荷を上昇させたケースを模擬した実験となる。排水中の六価セレン負荷が急激に上昇する前の硝酸態窒素負荷については、（ｋ）よりも（ｌ）の方が高い。
【００８８】
六価セレン負荷については、１０倍の上昇を想定した。
【００８９】
実験４の結果を表４に示す。
【００９０】
【表４】
2017124353.tif 000006
【００９１】
表４に示される結果から、（ｊ）の六価セレン濃度と比較して、（ｋ）及び（ｌ）の六価セレン濃度が大幅に低下することが明らかとなった。この結果から、排水中の六価セレン負荷が急激に上昇したときに硝酸態窒素負荷を上昇させた場合よりも、排水中の六価セレン負荷が急激に上昇する前及び上昇したときの双方のタイミングで硝酸態窒素負荷を上昇させた場合の方が、生物汚泥２の六価セレン還元処理能力を即時的に高める効果に加えて、生物汚泥２の六価セレン還元処理能力を予め高めておく効果も奏されて、六価セレン負荷の急激な上昇時により優れた六価セレン低減効果が奏され得ることが明らかとなった。
【００９２】
また、表４の（ｋ）及び（ｌ）に示される結果から、六価セレン濃度の低減効果は、六価セレン負荷が急激に上昇する前に硝酸態窒素負荷を上昇させるほど大きくなることも明らかとなった。
【００９３】
（５）まとめ
実験１の結果から、排水中の六価セレン負荷の急激な上昇が予測されたときに、排水中の六価セレン負荷の急激な上昇前に硝酸態窒素負荷を上昇させることで、生物汚泥２の六価セレン還元処理能力を予め高めることができ、排水中の六価セレン負荷が急激に上昇したときにも優れた六価セレン濃度低減効果が奏されることが明らかとなった。そして、六価セレン濃度低減効果は、排水中の六価セレン負荷の急激な上昇前に硝酸態窒素負荷を高める程大きくなることが明らかとなった。
【００９４】
また、実験２及び３の結果から、排水中の六価セレン負荷が急激に上昇したときに、硝酸態窒素負荷を上昇させることで、生物汚泥２の六価セレン還元処理能力を即時的に高めることができ、優れた六価セレン濃度低減効果が奏されることが明らかとなった。そして、六価セレン濃度低減効果は、排水中の六価セレン負荷が急激に上昇したときに硝酸態窒素負荷を高める程大きくなることが明らかとなった。
【００９５】
さらに、実験４の結果から、排水中の六価セレン負荷が急激に上昇する前及び上昇したときの双方のタイミングで硝酸態窒素負荷を上昇させることで、生物汚泥２の六価セレン還元処理能力を予め及び即時的に高めることができ、排水中の六価セレン負荷が急激に上昇したときにも極めて優れた六価セレン濃度低減効果が奏されることが明らかとなった。そして、六価セレン濃度低減効果は、排水中の六価セレン負荷の急激な上昇前に硝酸態窒素負荷を高める程大きくなることが明らかとなった。また、実験４の結果と実験２及び３の結果を総合的に考慮すると、さらに排水中の六価セレン負荷が急激に上昇したときに硝酸態窒素負荷を高めることで、六価セレン濃度低減効果が大きくなるものと推定された。
【符号の説明】
【００９６】
１    生物学的セレン還元処理装置
２    六価セレン及び硝酸態窒素を還元する生物汚泥
３    被処理水
４    生物処理槽
４ａ  導入部
５    有機物供給装置
６    硝酸態窒素供給装置
【図１】
2017124353.tif 000007